(57)【要約】【課題】発光管及び電子安定器の少なくとも１つからの熱伝達を抑制することができる発光装置及びこれを備えた照明器具を提供する。【解決手段】発光装置２は、受け金部材３によって取り付け面４に固定される。発光装置２は、発光管８と、電子安定器９と、口金部材６と、本体５とを備えている。電子安定器９は発光管８を安定的に点灯させる。口金部材６は、電子安定器９に電気的に接続する。本体５は、口金部材６を介して受け金部材３と接合し、発光管８及び電子安定器９を収容している。本体５は、取り付け面４と対向する縁部７を有しているとともに、受け金部材３内の凹部の形状に沿って縁部７を含む凸状領域１５がこの凹部に進入可能である。凸状領域１５の縁部７には、発光管８及び電子安定器９の少なくとも１つから取り付け面４への熱伝達を抑制する凹部１４が設けられている。【選択図】図１
2009187782.tif 000002
【特許請求の範囲】
【請求項１】
受け金部材によって取り付け面に固定される発光装置であって、
発光管と、
前記発光管を安定的に点灯させる点灯手段と、
前記点灯手段に電気的に接続する電気的接続手段と、
前記電気的接続手段を介して前記受け金部材と接合し、前記発光管及び前記点灯手段を収容した本体であって、前記取り付け面と対向する縁部を有しているとともに前記受け金部材内の凹部の形状に沿って該縁部を含む凸状領域が該凹部に進入可能な本体と、
を有し、
前記凸状領域の前記縁部には、前記発光管及び前記点灯手段の少なくとも１つから前記取り付け面への熱伝達を抑制する熱伝達抑制手段が設けられている、
発光装置。
【請求項２】
前記熱伝達抑制手段は、前記取り付け面側から前記凸状領域側へ向かって延びる凹部で構成されている、
請求項１に記載の発光装置。
【請求項３】
前記凹部は、前記縁部に１つのみ設けられている、請求項２に記載の発光装置。
【請求項４】
前記凹部は、前記縁部の互いに離間した位置に設けられている、請求項２に記載の発光装置。
【請求項５】
前記凹部の形状は、円筒状、円錐状、円錐台状、半球状、及び多面体状の少なくとも１つである、請求項２から４のいずれか１項に記載の発光装置。
【請求項６】
前記電気的接続手段はＧＸ５３タイプの口金部材で構成されている、請求項１から５のいずれか１項に記載の発光装置。
【請求項７】
前記熱伝達は、伝導、対流、及び放射の少なくとも１つである、請求項１から６のいずれか１項に記載の発光装置。
【請求項８】
請求項１から７のいずれか１項に記載の発光装置と、
前記受け金部材と、
を備えた、照明器具。
【発明の詳細な説明】
【技術分野】
【０００１】
本発明は、発光装置及びこれを備えた照明器具に関する。
【背景技術】
【０００２】
近年、地球温暖化の原因となっている二酸化炭素などの温室効果ガスの排出を抑制するという時代要請から、消費電力を抑える目的で従来の白熱電球に替わる新規の蛍光発光装置が要求されている。
この蛍光発光装置の小型化を図る目的で、屈曲した発光管が収容されて平面配置された蛍光発光装置が提案されている。このタイプの蛍光発光装置には、発光管を安定的に点灯させる点灯手段である電子安定器が内蔵されている。更に、蛍光発光装置には、電子安定器に外部電源から供給される電気エネルギーを伝達する役割を果たしている、電気的接続手段としての口金が備わっている。
また、電子安定器を内蔵した蛍光発光装置においては、運用性を向上させる目的で薄型化及び軽量化が求められている。この薄型化を図るにあたり、ＧＸ５３タイプの口金（JIS C 7709-1参照）を備えた発光装置が提案されている。
ＧＸ５３タイプの口金が用いられた発光装置として、例えば図２に示す発光装置が提案されている（特許文献１）。発光装置１１は、蛍光ランプ２４と、点灯装置２２と、断熱手段３２と、本体２１とを備えている。蛍光ランプ２４は平面状に配置されたバルブ９２を有している。点灯装置２２はインバータ回路である安定器を構成しており、蛍光ランプ２４を点灯させる。断熱手段３２はランプ取り付け面と点灯装置２２との間に設けられており、点灯装置２２で生じる熱を遮断する。本体２１は扁平な形状であるとともに口金部２３を備えている。この発光装置においては、口金を設けて点灯装置を収容した本体のランプ取り付け面に沿ってバルブが配置されている。これによって、小型かつ薄型の発光装置となることで平面的な光源が実現されている。更に、ランプ取り付け面と点灯装置との間に断熱手段を設けることにより、点灯装置の回路部品の上限規格温度を満足させることが容易となっている。
【特許文献１】特開２００７−１８００１１号公報
【発明の開示】
【発明が解決しようとする課題】
【０００３】
しかしながら、このような発光装置を備えた照明器具では、照明器具の取り付け面と対向する、発光装置の本体の縁部は平坦な形状である。この照明器具を天井、壁などに取り付ける際、取り付け面と本体の縁部との間に隙間が生じる。照明装置の取り付け状態によっては、この隙間の少なくとも一部が閉塞することで本体の縁部が取り付け面と接触する場合が生じる。
その際、発光装置内の発光管及び電子安定器の少なくとも１つからの熱により発光装置内の温度が上昇することで、この縁部は高温となってしまう。更に、縁部が天井、壁などの取り付け面と接触することで縁部内の熱が直接取り付け面に伝わってしまうため、取り付け面を含む壁紙内の温度が高温になる。この高温化が高じて、壁紙の変色を引き起こすといった不具合が生じるという問題があった。
本発明は、上記事情に鑑みてなされたものであり、発光管及び点灯手段の少なくとも１つからの熱伝達を抑制することのできる発光装置及びこれを備えた照明器具を提供することを目的とする。
【課題を解決するための手段】
【０００４】
本発明の一態様の発光装置は、受け金部材によって取り付け面に固定される発光装置であって、発光管と、発光管を安定的に点灯させる点灯手段と、点灯手段に電気的に接続する電気的接続手段と、電気的接続手段を介して受け金部材と接合し、発光管及び点灯手段を収容した本体であって、取り付け面と対向する縁部を有しているとともに受け金部材内の凹部の形状に沿って縁部を含む凸状領域が凹部に進入可能な本体と、を有し、凸状領域の縁部には、発光管及び点灯手段の少なくとも１つから取り付け面への熱伝達を抑制する熱伝達抑制手段が設けられている。
本発明の一態様の照明器具は、上述の発光装置と、上述の受け金部材と、を備えている。
【発明の効果】
【０００５】
本発明によれば、本体の凸状領域の縁部に、発光管及び点灯手段の少なくとも１つから室内における照明器具取り付け面への熱伝達を抑制する熱伝達抑制手段が設けられている。これにより、本体の縁部から照明器具取り付け面への熱伝達量は低減する。従って、発光管及び点灯手段の少なくとも１つからの熱を抑制することのできる発光装置及びこれを備えた照明器具を提供することができる。
【発明を実施するための最良の形態】
【０００６】
以下、本発明を実施するための最良の形態について図面を参照して説明する。
図１に本発明の一実施形態に係る照明器具の断面図を示す。照明器具１は、発光装置２と受け金部材３とで構成されている。受け金部材３は、発光装置２を天井や壁などの取り付け面４に取り付ける取り付け手段として機能している。発光装置２は受け金部材３によって取り付け面４に固定される。
発光装置２は、本体５と、本体５内部から外部に向かって突出して設けられた口金部材６とで構成されている。
【０００７】
本体５は取り付け面４と対向する縁部７を有している。また、縁部７を含む凸状領域１５は受け金部材３内の凹部の形状に沿ってこの凹部に進入可能となっている。凸状領域１５が凹部に進入すると凸状領域１５の外周面と受け金部材３の内周面とが嵌合することで、発光装置２と受け金部材３との接合は凸状領域が設けられていない形態より確実なものとなる。更に、本体５内部には発光管８、電子安定器９、樹脂ホルダー１０、反射板１１、及び前面ガラス１２が収容されている。電子安定器９は、蛍光管である発光管８を安定的に点灯させる点灯手段として機能する。更に、電子安定器９は口金部材６と接触しており、外部電源（不図示）から供給される電気的エネルギーは口金部材６を介して電子安定器９に伝達される。樹脂ホルダー１０は口金部材６と接触している電子安定器９を保持する機能を果たしており、その外面は本体５内面と嵌合している。反射板１１は樹脂ホルダー１０と発光管８との間に配されており、発光管８から発せられた光は反射板１１で反射された後、前面ガラス１２及びシリコーンカバー１３を介して発光装置２外へ放射される。
口金部材６にはＧＸ５３タイプの口金が用いられている。口金部材６は電子安定器９に電気的に接続する電気的接続手段として機能する。更に、発光装置２の本体５が受け金部材３内の凹部に進入し、本体５の縁部７が取り付け面４とある間隔を置いて対向する状態となった際、口金部材６は発光装置２と受け金部材３とを接合する機能を果たす。
【０００８】
更に、本体５の凸状領域１５の縁部７には凹部１４が設けられている。凹部１４は、縁部７において取り付け面４側から凸状領域１５側へ向かって延びるように構成されている。凹部１４以外の縁部７の外周部は突起部分となる。取り付け面４と対向する突起部分の高さが設計寸法を維持した形態が望ましいところではあるが、凹部を形成するような高さの突起部分の形態であれば、この高さは設計寸法に限定されることはない。この突起部分により発光装置２と受け金部材３との間の接合は、突起部分が設けられていない形態に比べより確実なものとすることができる。凹部１４は発光管８及び電子安定器９の少なくとも１つから取り付け面４への熱伝達を抑制する熱伝達抑制手段として機能する。また、図１に示す凹部１４は発光装置２の中心軸（図１における上下方向）に沿うような円筒状であることが好ましい。しかしながら、凹部の形状は円筒状に限定されるものではなく、円筒状、円錐状、円錐台状、半球状、及び多面体状の少なくとも１つであってもよい。なお、図１に示す本実施形態では、凹部１４は縁部７の外周部以外の領域に１つのみ設けられている。しかしながら、本実施形態の凹部１４の構成はこの形態に限定されるものではなく、凹部１４は縁部７の互いに離間した位置に設けられていてもよい。複数の凹部が縁部に設けられていることにより、凹部が１つのみ設けられている形態に比べ縁部の熱を発光装置外へ放熱する効果を増大できる。
【０００９】
熱伝達抑制手段として機能する凹部が本体の凸状領域の縁部に設けられていることにより、縁部が平坦な形状である場合に比べ、縁部の端面と照明装置の取り付け面との間の間隔は拡大する。そのため、この端面上の温度と取り付け面上の温度との差、及び両面間の距離に起因する熱伝達（すなわち、伝導、対流、及び放射の少なくとも１つの熱伝達形態）の量は減少することとなる。すなわち、凹部が縁部に設けられていることで、本体の縁部から照明器具の取り付け面への熱伝達量を低減することができる。従って、この凹部を備えた発光装置により発光管及び電子安定器の少なくとも１つからの熱を抑制することが可能となる。
【図面の簡単な説明】
【００１０】
【図１】本発明の一実施形態に係る発光装置を備えた照明器具を示す断面図である。
【図２】従来の発光装置を備えた照明器具の一実施形態を示す断面図である。
【符号の説明】
【００１１】
１  照明器具
２  発光装置
３  受け金部材
４  取り付け面
５  本体
６  口金部材
７  縁部
８  発光管
９  電子安定器
１４  凹部
１５  凸状領域
【図１】
2009187782.tif 000003
【図２】
2009187782.tif 000004